(57)【要約】【課題】ＨＤＭＩ規格などの画素単位で映像データを伝送させる規格の端子を備えた場合に、より簡単に入力映像データを判別できるようにする。【解決手段】入力端子に得られる映像データから、その映像データに付加された補助データを分離する。そして、その分離された補助データより、入力した映像データの水平画素数と垂直画素数の情報を取得する（ステップＳ１４）。さらに、取得した水平画素数と垂直画素数の情報に基づいて、入力した映像データの種別を判断する。もし、テレビジョン放送用の規格に適合しない映像データである場合には、コンピュータ装置のモニタ用の判別を行う（ステップＳ１５）。【選択図】図５
2008048369.tif 000002
【特許請求の範囲】
【請求項１】
画素単位で伝送される映像データを、前記映像データに同期した画素クロックと共に受信する入力端子を備えた映像受信装置において、
前記入力端子に得られる映像データから、その映像データに付加された補助データを分離する分離部と、
前記分離部で分離された補助データより、入力した映像データの水平画素数と垂直画素数の情報を取得する情報取得部と、
前記情報取得部で取得した水平画素数と垂直画素数の情報に基づいて、入力した映像データの種別を判断する判定部とを備えたことを特徴とする
映像受信装置。
【請求項２】
請求項１記載の映像受信装置において、
前記判定部は、水平画素数及び垂直画素数と、前記入力端子に得られる画素クロックの周波数から、映像の垂直周波数を判断し、その垂直周波数と水平画素数及び垂直画素数から、入力した映像データの種別を判断することを特徴とする
映像受信装置。
【請求項３】
請求項１記載の映像受信装置において、
前記判定部は、予め用意された対応データに適合する種別が存在しない場合、コンピュータモニタ用の映像データの入力と判断することを特徴とする
映像受信装置。
【請求項４】
請求項３記載の映像受信装置において、
前記コンピュータモニタ用の映像データの入力と判断した場合に、予めコンピュータモニタ用の映像データとして用意された種類の水平画素数及び垂直画素数の中から選定した種類の映像データとして表示することを特徴とする
映像受信装置。
【請求項５】
画素単位で伝送される映像データを、前記映像データに同期した画素クロックと共に受信端子で受信する映像受信方法において、
前記入力端子に得られる映像データから、その映像データに付加された補助データを分離し、
前記分離された補助データより、入力した映像データの水平画素数と垂直画素数の情報を取得し、
前記取得した水平画素数と垂直画素数の情報に基づいて、入力した映像データの種別を判断することを特徴とする
映像受信方法。
【発明の詳細な説明】
【技術分野】
【０００１】
本発明は、ＨＤＭＩ（High-Definition Multimedia Interface）規格と称されるデジタル映像・音声入出力インターフェース規格に適用して好適な映像受信装置及び映像受信方法に関する。
【背景技術】
【０００２】
近年、複数台の映像機器の間で、非圧縮のデジタル映像データなどを伝送させるインターフェース規格として、ＨＤＭＩ規格と称されるものが開発されている。ＨＤＭＩ規格は、映像データを、各色の原色データとして、１画素単位で個別に伝送する規格である（以下画素をピクセルと称する）。音声データ（オーディオデータ）についても、映像データのブランキング期間に、映像データの伝送ラインを使用して伝送するようにしてある。伝送する原色データは、赤，緑，青の加法混色の３チャンネルの原色データ（Ｒデータ，Ｇデータ，Ｂデータ）を伝送する場合、もしくはＹ，Ｃｂ，Ｃｒといった輝度および色差信号による場合などがある。
【０００３】
各色の１ピクセルのデータは、基本的に８ビットで構成される。水平同期信号や垂直同期信号などの同期信号についても、それぞれの同期信号が配置されるタイミングに送信される。また、映像データのピクセルクロックの伝送ラインと、制御データの伝送ラインについても設けてある。
【０００４】
このようにＨＤＭＩ規格では、１画素単位の映像データを各色ごとに伝送する方式であり、１フレームを構成する画素数や、フレーム周波数については、特定の種類のものに限定されない。従って、ＨＤＭＩ規格のケーブルで映像送出装置から出力される映像データを受信する受信装置側では、入力した映像データのフレーム周波数などを検出して、その検出したフレーム周波数などに同期させて受信処理する必要があった。
【０００５】
図８は、従来のこの種の規格で、映像データを受信する装置側で、入力した映像データの種類を判別する処理例の概要を示したものである。ＨＤＭＩ規格のケーブルが接続される端子（本明細書ではこの端子を以下ＨＤＭＩ端子と称する）１に得られる受信信号を、ＨＤＭＩ情報取得部２に供給し、そのＨＤＭＩ情報取得部２内で各ラインに多重化された信号を分離し、その分離された信号を信号判別部３に供給する。また、ＨＤＭＩ端子１に得られる受信信号中の、クロック信号や同期信号成分を同期周波数解析部４に供給し、クロック信号のカウント処理などを行って、同期周波数を解析する。解析された同期周波数の情報は、信号判別部３に供給して、映像信号の種類判別に利用する。
【０００６】
図９は、図８の構成の信号判別部３及びその周辺回路で行われる従来の判別処理例を示したフローチャートである。まず、ＨＤＭＩ端子１に信号が入力すると、その入力信号の周波数情報が安定して受信できる状態であるか否か判断する（ステップＳ１）。この判断で安定したと判断したとき、受信信号に含まれる情報から、信号種別を決定する（ステップＳ２）。そして、同期周波数解析部４で供給されるクロック信号の解析を行って、周波数がプリセットされた引き込み範囲内であるか否か判断し（ステップＳ３）、引き込み範囲外であると判断した場合には、入力なし或いは範囲外の信号であると判断して、信号判別部３から映像データを出力させない。ステップＳ３で引き込み範囲外であると判断した場合には、同期周波数解析部４で解析したクロック信号周波数と、受信信号に含まれる案内情報であるＡＶＩ情報を使用して、入力した映像信号の種類を判別する。ＨＤＭＩ端子１に得られる映像信号は、デジタル映像データ（いわゆるＤＴＶ信号）であり、その判別した種類のデジタル映像データを、信号判別部３から後段の処理系に供給する。
【０００７】
特許文献１には、ＨＤＭＩ規格の詳細についての記載がある。
【特許文献１】ＷＯ２００２／０７８３３６号公報
【発明の開示】
【発明が解決しようとする課題】
【０００８】
図８に示す構成として、図９のフローチャートに示す処理を行うことで、ＨＤＭＩ端子に入力した映像データの種類を判別することができるが、この従来構成では、１フレーム当りの水平画素数や垂直画素数を、受信信号を実際にカウントして検出するため、検出構成が複雑であり、検出処理に要する負担も大きい問題があった。
【０００９】
また、ＨＤＭＩ規格は、ＤＶＩ（Digital Visual Interface）と称されるコンピュータ装置のモニタ用の映像データ伝送規格を発展させた規格であり、伝送させるデータフォーマットは類似しているが、ＨＤＭＩ規格とＤＶＩ規格との間で、直接的な互換性はなく、例えば従来のテレビジョン受像機で、ＨＤＭＩ規格とＤＶＩ規格の双方に対応させるためには、ＨＤＭＩ規格用の端子と、ＤＶＩ規格用の端子との双方を設ける必要があり、機器構成が複雑化していた。
【００１０】
本発明はかかる点に鑑みてなされたものであり、ＨＤＭＩ規格などの画素単位で映像データを伝送させる規格の端子を備えた場合に、より簡単に入力映像データを判別できるようにすることを目的とする。
【課題を解決するための手段】
【００１１】
本発明は、画素単位で伝送される映像データを、映像データに同期した画素クロックと共に受信端子で受信する場合において、入力端子に得られる映像データから、その映像データに付加された補助データを分離する。そして、その分離された補助データより、入力した映像データの水平画素数と垂直画素数の情報を取得する。さらに、取得した水平画素数と垂直画素数の情報に基づいて、入力した映像データの種別を判断する。
【００１２】
このようにしたことで、入力した映像データに含まれる補助データに含まれる水平画素数と垂直画素数の情報を利用して、直接、映像データの種類を判別することができるようになる。
【発明の効果】
【００１３】
本発明によると、入力した映像データに含まれる補助データに含まれる水平画素数と垂直画素数の情報を利用して、直接、映像データの種類を判別できるため、水平や垂直の画素数のカウントを行う必要がなく、迅速かつ簡単な処理で入力した映像データの種類を判別できるようになる。
【発明を実施するための最良の形態】
【００１４】
以下、本発明の一実施の形態を、図１〜図７を参照して説明する。
【００１５】
本例においては、ＨＤＭＩ規格でソース側機器からシンク側機器に映像データなどを伝送する伝送システムに適用したものである。図１は、本例のシステム構成例を示した図で、ソース側機器であるビデオ記録再生装置１０と、シンク側機器であるプロジェクタ装置３０とを、ＨＤＭＩケーブル１で接続して、ビデオ記録再生装置１０から映像データや音声データを、プロジェクタ装置３０に伝送する構成としてある。ソース側機器については、ビデオ記録再生装置１０以外の映像データを送信（出力）する映像機器が適用可能でありシンク側機器については、テレビジョン受像機などのその他の映像データを受信（入力）するその映像機器が適用可能である。
【００１６】
また、本例の場合には、ソース側機器として、パーソナルコンピュータ装置が備えるモニタ用の映像データ出力規格である、ＤＶＩ規格の出力端子を備えた機器も適用可能としてある。このＤＶＩ規格の出力端子を備えた機器をシンク機器とする場合には、ＨＤＭＩケーブル１として、一端のプラグがＤＶＩ規格の端子に接続可能なプラグとし、他端のプラグがＨＤＭＩ規格の端子に接続可能なプラグとするものを用意する。ＤＶＩ規格の端子から出力される映像データを、プロジェクタ装置３０で入力する場合の具体的な処理例については後述する。
【００１７】
まず、ビデオ記録再生装置１０について説明すると、ビデオ記録再生装置１０は記録再生部１１を備え、映像データや音声データを記録し再生することができる。記録再生部１１としては、例えばハードディスクドライブ（ＨＤＤ）装置を使用できる。記録再生部１１で再生して得た映像データは、映像処理部１２に供給し、再生して得た音声データは、音声処理部１４に供給する。また、チューナ１６を備え、そのチューナ１６で受信して得た映像データ及び音声データを、映像処理部１２及び音声処理部１４に供給する。
【００１８】
映像処理部１２では、再生又は受信して得た映像データを、伝送用の映像データとする処理が行われる。音声処理部１４は、再生又は受信して得た音声データを、伝送用の音声データとする処理が行われる。
【００１９】
映像処理部１２及び音声処理部１４が出力する映像データ及び音声データは、ＨＤＭＩ伝送処理部２０に供給する。ＨＤＭＩ伝送処理部２０は、ＨＤＭＩ規格のインターフェースの伝送処理を行う回路部であり、例えば集積回路化してある。ＨＤＭＩ伝送処理部２０に供給される映像データ及び音声データは、多重化回路２１で多重化する。
【００２０】
多重化回路２１で多重化された伝送用のデータは、ＨＤＣＰ暗号化部２２で暗号化する。ＨＤＣＰ暗号化部２２は、ＨＤＣＰ（High-bandwidth Digital Content Protection System）規格で、少なくとも映像データが伝送されるチャンネルの暗号化を行うようにしてある。
【００２１】
ＨＤＣＰ暗号化部２２で暗号化されたデータは、伝送処理部２３に供給し、各色のピクセルデータを個別のチャンネルに配置し、またピクセルクロックチャンネルや制御データチャンネルなども、それぞれ対応したクロックやデータとし、ＨＤＭＩ端子２４に接続されたＨＤＭＩケーブル１に送出する。ＨＤＭＩケーブル１は、プロジェクタ装置３０のＨＤＭＩ端子４１に接続する。
【００２２】
次に、プロジェクタ装置３０の構成について説明する。ＨＤＭＩ端子４１に接続されたＨＤＭＩケーブル１で伝送されたデータは、ＨＤＭＩ伝送処理部４０内の伝送処理部４２で、ピクセルクロックに同期して検出（受信）される。検出された各チャンネルのデータは、ＨＤＣＰ復号化部４２で送信時の暗号化からの復号化を行う。ここでの復号化についても、１チャンネルごとに８ビット単位で行われる。
【００２３】
復号化されたデータは、多重分離回路４４に供給して、各チャンネルに多重化されたデータを分離する。ここでの分離処理としては、映像が伝送されるチャンネルのブランキング期間に配置された音声データを、映像データから分離する。また、余裕の期間に配置されたデータが、制御データや付帯情報などの補助データである場合には、その制御データや付帯情報を取出す。
【００２４】
多重分離回路４４で分離された映像データは、映像選択部３１に供給する。映像選択部３１では、このテレビジョン受像機３０の制御部３６からの指示に基づいて、いずれかの入力の映像を選択し、選択された映像データを映像処理部３２に供給する。なお、図１では、ＨＤＭＩ端子４１以外の映像入力部は省略してある。映像処理部３２では、供給される映像データに必要な処理を施し、映像投射部３３に供給する。映像投射部３３では、別体のスクリーン（図示せず）に投射させる映像を生成させる。具体的には、例えば光源からの光を、液晶表示パネルに透過させ、その液晶表示パネルに表示された映像に対応した投射光として、その投射光をレンズなどの光学系を介してスクリーンに投射させる。
【００２５】
多重分離回路４４で分離された音声データについては、音声処理部３４に供給し、アナログ変換などの音声処理を行い、処理された出力を出力処理部３５に供給して、スピーカ駆動用に増幅などの処理を行い、出力処理部３５に接続された複数のスピーカ５１，５２から出力させる。
【００２６】
多重分離回路４４で分離された制御データなどの補助データについては、制御部３６に供給する。なお、ソース側機器を制御するコマンドなどの制御データについては、制御データチャンネルを使用して、このプロジェクタ装置３０の制御部３６から、ビデオ記録再生装置１０側の制御部１５に送ることもできる。
【００２７】
制御部３６は、プロジェクタ装置３０の各部の動作を制御する制御処理を行う中央制御ユニット（ＣＰＵ）である。ＨＤＭＩ端子４１でのデータ伝送についても、制御部３６が制御するようにしてある。制御部３６が制御を行う上で必要なデータは、メモリ３７に記憶させてある。このメモリ３７に記憶させるデータとして、ＨＤＭＩ端子４１で受信するデータについての信号種類の詳細についてのデータが用意してある。その信号種類の詳細例については後述する。
【００２８】
図２は、制御部３６の制御に基づいて、ＨＤＭＩ端子４１で受信した信号の判別を行う構成を、信号処理機能から示したブロック図である。ＨＤＭＩ端子４１で受信した信号は、多重分離回路４４（図１）内の分離部４４ａで分離する。分離された映像データは、多重分離回路４４内の映像データ処理部４４ｂに供給し、後段の回路に供給するための映像データとする。
【００２９】
分離部４４ａで分離された補助データや各種制御データについては、信号情報取得部３６ａで、それぞれのデータが配置された位置から抽出などを行って、取得する。取得されたデータは、信号判別部３６ｂで判別する。なお、号情報取得部３６ａと信号判別部３６ｂは、それぞれ制御部３６が備える制御機能として実行されるが、専用の処理回路を備える構成としてもよい。また、ＨＤＭＩ伝送処理部４０内に、ＨＤＭＩ端子での受信に関する制御処理を行う制御部を備える構成としてもよい。
【００３０】
次に、接続された機器のＨＤＭＩ端子間で伝送されるデータ構成について説明する。
図３は、ビデオ記録再生装置１０の伝送処理部２３と、プロジェクタ装置３０の伝送処理部４２との間で、ＨＤＭＩケーブル１で伝送される各チャンネルのデータ構成例を示した図である。図３に示すように、映像データを伝送するチャンネルとして、チャンネル０と、チャンネル１と、チャンネル２の３つのチャンネルが用意してあり、さらにピクセルクロックを伝送するクロックチャンネルが用意してある。また、制御データ伝送チャンネルとしての、ＤＤＣライン及びＣＥＣラインが用意してある。さらに、５Ｖ以下の直流電圧をソース側からシンク側に送るラインについても用意してある。
【００３１】
送信側では、映像データを伝送するチャンネル毎に、伝送処理部（送信部）２０ａ，２０ｂ，２０ｃが伝送処理部２０内に用意してあり、受信側でも、映像データを伝送するチャンネル毎に、伝送処理部（データ受信部）４０ａ，４０ｂ，４０ｃが伝送処理部４０内に用意してある。
【００３２】
各チャンネルの構成について説明すると、チャンネル０では、Ｂデータのピクセルデータと、垂直同期データと水平同期データと補助データとを伝送するようにしてある。チャンネル１では、Ｇデータのピクセルデータと、２種類の制御データ（ＣＴＬ０，ＣＴＬ１）と、補助データとを伝送するようにしてある。チャンネル２では、Ｒデータのピクセルデータと、２種類の制御データ（ＣＴＬ２，ＣＴＬ３）と、補助データとを伝送するようにしてある。
【００３３】
図４は、本例の伝送構成で伝送される、１フレームのライン構成及びピクセル構成を示した図である。本例の場合に伝送される映像データ（主映像データ）は、非圧縮データであり、垂直ブランキング期間及び水平ブランキング期間が付加されている。具体的には、図４の例では、表示される映像エリア（アクティブビデオエリアとして示すエリア）として、４８０ライン×７２０ピクセルのピクセルデータとしてあり、ブランキング期間まで含めたライン数及びピクセル数として５２５ライン及び８５８ピクセルとしてある。ブランキング期間中のダブルハッチング（右方向と左方向の斜線）で示すエリアはデータアイランドと称される、補助データが付加可能な期間である。
【００３４】
図４の例は、１フレームが４８０ライン×７２０ピクセル（即ち垂直方向４８０画素、水平方向７２０画素）の場合の例であるが、その他の画素数のフレーム構成であっても伝送可能である。いずれの画素数の場合でも、垂直ブランキング期間及び水平ブランキング期間を付加を付加し、そのブランキング期間内に、補助データを付加する。
【００３５】
付加される補助データとしては、例えば、以下に示す情報がある。
ＡＶＩ情報に含まれる信号情報としては、水平方向のトータル画素数（ H Total ）、垂直方向のトータル画素数（  V Total ）、水平方向の映像の画素数（ H Resolution ）、垂直方向の映像の画素数（V Resolution ）、水平垂直の極性、ピクセルクロック（Pixel Clock）がある。また、ＨＤＭＩ情報 として、モード情報、色空間情報、繰り返し情報（Repetition）、 認証フラグ、チェック符号（CRC）、 アスペクト比情報、ワイドモード情報などがある。 
【００３６】
次に、このような構成で伝送されるデータを、シンク機器であるプロジェクタ装置３０の各ＨＤＭＩ端子４１で受信した場合の処理例を、図５のフローチャートを参照して説明する。この処理は、図２の機能ブロックとして示した構成で実行されるものであり、まず伝送される信号、ここでは補助データの中に含まれるＡＶＩ情報が安定して受信できるようになったか否か判断する（ステップＳ１１）。この安定して受信できるようになったか否かの判断としては、例えば、ＡＶＩ情報が複数回（例えば２回）連続して同じデータであると判断することで行う。
【００３７】
そして、実際の映像データを構成する画素データの入力があるか否か判断し（ステップＳ１２）、映像データの入力があると判断した場合、その入力した映像データが受信可能な周波数範囲の映像データであるか否か判断する（ステップＳ１３）。ここでの判断としては、例えば、クロック周波数などから、このプロジェクタ装置で表示可能な映像データの周波数であるか判断する。
【００３８】
そして、受信可能な範囲内であると判断した場合、ＡＶＩ情報に含まれる情報を抽出して、伝送された水平方向の映像の画素数と、垂直方向の映像の画素数とを判断する。さらに、伝送された画素クロックなどに基づいて生成させたクロック周波数（Dot Clock）を判断する。これらの判断した情報から、メモリ３７に記憶された、このプロジェクタ装置３０が表示可能なデジタルテレビジョン信号（ＤＴＶ信号）の一覧との比較を行い、その一覧と一致する画素数及び周波数のものが存在する場合には、該当する信号種別のＤＴＶ信号が入力したと判断する（ステップＳ１４）。具体的な判別例については後述するが、画素数（解像度）が同一である場合には、周波数を使用して区別する。この判断をした場合には、図２に示した映像データ処理部４４ｂから後段の回路に、該当するフォーマットのデジタル映像データとして供給し、図１に示した影像投射部３３から、該当する映像の表示（投射）処理を行う。
【００３９】
ステップＳ１２で入力なしと判断した場合と、ステップＳ１３で受信不可能な周波数範囲の信号であると判断した場合には、ステップＳ１４で表示不可能な信号であると判断して、映像データ処理部４４ｂから後段の回路に、映像データを出力させない。
【００４０】
そして、ステップＳ１２で入力ありと判断し、ステップＳ１３で受信可能な周波数範囲の信号であると判断した上で、ステップＳ１４で適合するデジタルテレビジョン信号（ＤＴＶ信号）がないと判断した場合には、パーソナルコンピュータ装置のモニタ用映像信号（いわゆるＰＣ信号）であるか否か判断する（ステップＳ１５）。このときには、メモリ３７に記憶された、表示可能なＰＣ信号用の映像データフォーマットと、入力信号の水平方向の映像の画素数及び垂直方向の映像の画素数と、伝送された画素クロックなどに基づいて生成させたクロック周波数とを、メモリ３７に記憶されたフォーマットと比較する。この比較の際には、例えば、メモリ３７に記憶された解像度の低い（即ち画素数の少ない）映像データと比較する。このときには、メモリ３７に記憶されたフォーマットで示された画素数よりも小さい画素数で、それよりも画素数の少ないフォーマットに適合しない場合には、そのフォーマットの信号として判断して、そのフォーマットで表示処理を行う。従って、このような場合には、用意された画素数の一部が無表示状態となり、例えば映像が左上に寄せた状態で表示（投影）される。
【００４１】
図６は、メモリ３７に用意された、デジタルテレビジョン信号（ＤＴＶ信号）の種類の例を示したものである。水平画素数と垂直画素数については、正確に一致していなくても、例えば±２程度の値である場合には、ここに示した画素数であると判断する。フレーム周波数である垂直周波数については、最小値と最大値を定めて、その範囲内である場合に、該当する種類であると判断を行う。
【００４２】
例えば、図６の５段目に示したように、水平画素数１９２０、垂直画素数５４０で、垂直周波数が５５Ｈｚから６４Ｈｚの範囲内である場合には、１０８０／６０ｉの信号種類であると判断し、その信号種類に応じた表示処理を設定する。同じ画素数でも、垂直周波数が４６Ｈｚから５５Ｈｚ未満の範囲内である場合には、１０８０／５０ｉの信号種類であると判断する。このようにして、デジタルテレビジョン信号が入力した場合には、ソース機器から送られた水平画素数と垂直画素数などのデータを利用して直ちに、入力信号種類が判断される。なお、この図６の一覧に示すように、一部の信号種類で、最大垂直周波数が９３Ｈｚという本来の垂直周波数よりもかなり高い周波数に設定してあるのは、一部のコンピュータモニタ用映像信号にも適合させるためである。
【００４３】
この図６に示した判断で適合しなかった場合に行われる、ステップＳ１５での判断で使用される、メモリ３７に用意された、パーソナルコンピュータ装置のモニタ用映像信号（ＰＣ信号）の種類の例を図７に示す。この場合には、ＤＶＩ規格の端子から出力される映像データを、プロジェクタ装置３０のＨＤＭＩ端子４１で受信する場合の処理に相当する。このコンピュータ装置のモニタ用映像信号として判断する場合には、水平画素数と垂直画素数が、図７に示した規定画素値以下で、垂直周波数については、最小値と最大値を定めて、その範囲内である場合に、該当する種類であると判断を行う。そして、図７に示した種類にも適合しない場合には、無信号として扱われる。
【００４４】
このようにして入力した信号方式を判断することで、ソース機器から伝送された水平画素数（解像度）と垂直画素数（解像度）のデータと、シンク機器側で受信データから判断したフレーム周波数を利用して、直接、入力信号種類を判断するようにしたことで、従来必要であった、受信データそのものの復調や画素数のカウント処理が不要となり、迅速かつ簡単な処理で入力種類判別ができる。
【００４５】
なお、上述した実施の形態では、ＨＤＭＩ規格のインターフェースを前提として説明したが、その他の同様な伝送規格にも適用可能である。また、シンク機器として外部のスクリーンに投影するプロジェクタ装置に適用したが、いわゆるリアプロジェクタとして構成して、装置内に保持されたスクリーンの背面から投射させる構成としてもよい。或いは、テレビジョン受像機などのその他の映像機器に適用してもよい。
【図面の簡単な説明】
【００４６】
【図１】本発明の一実施の形態によるシステム構成例を示すブロック図である。
【図２】本発明の一実施の形態による信号判別構成例を示すブロック図である。
【図３】本発明の一実施の形態による伝送チャンネル構成例を示す説明図である。
【図４】本発明の一実施の形態によるビット構成例を示す説明図である。
【図５】本発明の一実施の形態による判別処理例を示すフローチャートである。
【図６】本発明の一実施の形態によるＤＴＶ信号の判別例を示す説明図である。
【図７】本発明の一実施の形態によるＰＣ信号の判別例を示す説明図である。
【図８】従来の信号判別構成例を示すブロック図である。
【図９】従来の判別処理例を示すフローチャートである。
【符号の説明】
【００４７】
１…ＨＤＭＩケーブル、１０…ビデオ記録再生装置（ソース側機器）、１１…記録再生部、１２…映像処理部、１４…音声処理部、１５…制御部、１６…チューナ、２０…ＨＤＭＩ伝送処理部、２１…多重化回路、２２…ＨＤＣＰ暗号化部、２３…伝送処理部、２４…ＨＤＭＩ端子、３０…プロジェクタ装置（シンク側機器）、３１…映像選択部、３２…映像処理部、３３…映像投射部、３４…音声処理部、３５…出力処理部、３６…制御部、３６ａ…信号情報取得部、３６ｂ…信号判別部、３７…メモリ、４０…ＨＤＭＩ伝送処理部、４１…ＨＤＭＩ端子、４２…伝送処理部、４３…ＨＤＣＰ復号化部、４４…多重分離回路、４４ａ…分離部、４４ｂ…映像データ処理部、５１，５２…スピーカ
【図１】
2008048369.tif 000003
【図２】
2008048369.tif 000004
【図３】
2008048369.tif 000005
【図４】
2008048369.tif 000006
【図５】
2008048369.tif 000007
【図６】
2008048369.tif 000008
【図７】
2008048369.tif 000009
【図８】
2008048369.tif 000010
【図９】
2008048369.tif 000011